(57)【要約】【目的】撮像実行場所と画像データとの対応関係が分かるようにする。【構成】撮像場所指示サーバ１から携帯電話10に撮像場所の指示データが送信される。ディジタル・カメラ11を用いて，指示データにしたがった場所が撮像される。指示データの送信，撮像が繰り返される。メモリ・カード12には画像データとその画像データの撮像日時を表すデータとが記録される。メモリ・カード12がサーバ１に装填されると，撮像日時が読み取られ，指示データの送信日時（指示日時）と比較される。比較結果にもとづいて，画像データの撮像場所が決定される。撮像場所が決定された画像データは画像データベース８に記録される。【選択図】図１
2008244956.tif 000002
【特許請求の範囲】
【請求項１】
撮像場所を指示する指示データを指示データ受信装置に送信する指示データ送信手段，
上記指示データ送信手段から送信された上記指示データの送信日時と上記指示データによって指示される撮像場所とを対応して記憶するように送信日時記憶手段を制御する第１の記憶制御手段，
上記指示データ送信手段から送信された指示データが上記指示データ受信手段によって受信されたことに応じて，上記指示データによって指示された撮像場所をディジタル・カメラによって撮像した場所の画像を表す画像データおよび撮像実行日時データを入力する入力手段，
上記入力手段によって入力した撮像実行日時データによって表される撮像実行日時と上記送信日時とにもとづいて，上記入力手段に入力した画像データによって表される画像と上記撮像場所との対応関係を決定する決定手段，ならびに
上記決定手段によって対応関係が決定された画像を表す画像データを記憶するように画像記憶手段を制御する第２の記憶制御手段，
を備えた撮像場所指示サーバ。
【請求項２】
上記送信日時と上記撮像実行日時とがそれぞれ複数あり，
上記決定手段は，
それぞれの上記撮像実行日時を，上記送信日時のうちもっとも近い送信日時に仮対応する仮対応手段，および
上記仮対応手段によって仮対応した撮像実行日時と送信日時のうち，送信日時前の日時を表す撮像実行日時と仮対応する送信日時とのそれぞれの第１の時刻差を，それぞれの撮像実行日時に加算する処理と，加算されたそれぞれの撮像実行日時とそれぞれの撮像実行日時にもっとも近い送信日時との第２の時刻差の合計を算出する処理と，を上記第１の時刻差のすべてについて繰り返す繰り返し制御手段を備え，
上記繰り返し制御手段により得られた第２の時刻差の合計がもっとも小さい場合における撮像実行日時と送信日時との対応にもとづいて上記画像と上記撮像場所との対応関係を決定するものである，
請求項１に記載の撮像場所指示サーバ。
【請求項３】
指示データ送信手段が，撮像場所を指示する指示データを指示データ受信装置に送信し，
第１の記憶制御手段が，上記指示データ送信手段から送信された上記指示データの送信日時と上記指示データによって指示される撮像場所とを対応して記憶するように送信日時記憶手段を制御し，
入力手段が，上記指示データ送信手段から送信された指示データが上記指示データ受信手段によって受信されたことに応じて，上記指示データによって指示された撮像場所をディジタル・カメラによって撮像した場所の画像を表す画像データおよび撮像実行日時データを入力し，
決定手段が，上記入力手段によって入力した撮像実行日時データによって表される撮像実行日時と上記送信日時とにもとづいて，上記入力手段に入力した画像データによって表される画像と上記撮像場所との対応関係を決定し，
第２の記憶制御手段が，上記決定手段によって対応関係が決定された画像を表す画像データを記憶するように画像記憶手段を制御する，
撮像場所指示サーバの動作制御方法。
【発明の詳細な説明】
【技術分野】
【０００１】
この発明は，撮像場所指示サーバおよびその動作制御方法に関する。
【背景技術】
【０００２】
工事現場などでは工事状況をカメラで撮像することがある。このような場所では，撮像者は素人であることが多いのでどの場所を撮像すればよいか分からないことが多い。このために，撮像場所の指示を，通信装置を有したディジタル・カメラによって受信し，その指示によって指定される場所を撮像するものがある（特許文献１）。
【特許文献１】特開2004-32608号公報
【０００３】
通信装置を有したディジタル・カメラであれば，撮像した画像を表す画像データをすぐに撮像を指示した者に送信できるが，通信装置を備えていないディジタル・カメラでは，画像データを指示した者にすぐに渡すことはできない。画像データを後で指示者に渡す場合には，撮像場所と画像データとの対応関係を付ける必要がある。
【発明の開示】
【０００４】
この発明は，撮像場所と画像データとの対応関係が分かるようにすることを目的とする。
【０００５】
この発明による撮像場所指示サーバは，撮像場所を指示する指示データを指示データ受信装置に送信する指示データ送信手段，上記指示データ送信手段から送信された上記指示データの送信日時と上記指示データによって指示される撮像場所とを対応して記憶するように送信日時記憶手段を制御する第１の記憶制御手段，上記指示データ送信手段から送信された指示データが上記指示データ受信手段によって受信されたことに応じて，上記指示データによって指示された撮像場所をディジタル・カメラによって撮像した場所の画像を表す画像データおよび撮像実行日時データを入力する入力手段，上記入力手段によって入力した撮像実行日時データによって表される撮像実行日時と上記送信日時とにもとづいて，上記入力手段に入力した画像データによって表される画像と上記撮像場所との対応関係を決定する決定手段，ならびに上記決定手段によって対応関係が決定された画像を表す画像データを記憶するように画像記憶手段を制御する第２の記憶制御手段を備えていることを特徴とする。
【０００６】
この発明は，上記撮像場所指示サーバに適した動作制御方法も提供している。すなわち，この方法は，指示データ送信手段が，撮像場所を指示する指示データを指示データ受信装置に送信し，第１の記憶制御手段が，上記指示データ送信手段から送信された上記指示データの送信日時と上記指示データによって指示される撮像場所とを対応して記憶するように送信日時記憶手段を制御し，入力手段が，上記指示データ送信手段から送信された指示データが上記指示データ受信手段によって受信されたことに応じて，上記指示データによって指示された撮像場所をディジタル・カメラによって撮像した場所の画像を表す画像データおよび撮像実行日時データを入力し，決定手段が，上記入力手段によって入力した撮像実行日時データによって表される撮像実行日時と上記送信日時とにもとづいて，上記入力手段に入力した画像データによって表される画像と上記撮像場所との対応関係を決定し，第２の記憶制御手段が，上記決定手段によって対応関係が決定された画像を表す画像データを記憶するように画像記憶手段を制御するものである。
【０００７】
この発明によると，撮像場所を指示する指示データが撮像場所指示サーバから指示データ受信装置に送信される。指示データ受信装置において受信された指示データによって指示される撮像場所が撮像される。撮像された画像データと撮像実行日時を表すデータとが撮像場所サーバに入力され，撮像実行日時と送信日時とにもとづいて，画像データと送信場所とが対応づけられる。画像データによって表される画像がどの撮像場所かが分かる。
【０００８】
上記送信日時と上記撮像実行日時とがそれぞれ複数ある場合には，上記決定手段は，  それぞれの上記撮像実行日時を，上記送信日時のうちもっとも近い送信日時に仮対応する仮対応手段，および上記仮対応手段によって仮対応した撮像実行日時と送信日時のうち，送信日時前の日時を表す撮像実行日時と仮対応する送信日時とのそれぞれの第１の時刻差を，それぞれの撮像実行日時に加算する処理と，加算されたそれぞれの撮像実行日時とそれぞれの撮像実行日時にもっとも近い送信日時との第２の時刻差の合計を算出する処理と，を上記第１の時刻差のすべてについて繰り返す繰り返し制御手段を備える。この場合，上記繰り返し制御手段により得られた第２の時刻差の合計がもっとも小さい場合における撮像実行日時と送信日時との対応にもとづいて上記画像と上記撮像場所との対応関係を決定するものとなろう。
【実施例】
【０００９】
図１は，この発明の実施例を示すもので，撮像場所指示サーバの電気的構成を示すブロック図である。
【００１０】
この実施例による撮像場所指示サーバ１は，工事現場などにいる撮像者が有している携帯電話10に撮像場所の指示を行い，その指示にしたがって，撮像者がディジタル・カメラ11を用いて撮像場所を撮像するものである。
【００１１】
撮像場所指示サーバ１には，撮像指示場所を示すデータが格納されている撮像指示場所記憶装置２が含まれている。撮像指示場所記憶装置２に記憶されている撮像指示場所を示す指示データが読み取られる。読み取られた指示データは指示撮像指示送信装置３によって携帯電話10に送信される。撮像場所指示サーバ１には時計４が含まれており，撮像指示送信装置３によって携帯電話10に送信された指示データの送信日時（指示日時）が検出される。指示データによって表される撮像指示場所と指示日時とが対応付けられて指示日時記憶装置５に記憶される。
【００１２】
図２は，指示日時記憶装置５に記憶されている撮像指示場所と指示日時との一例を示している。
【００１３】
2006年11月29日16時45分，同日の15時25分，同日の18時30分に，それぞれ外観（正面），配管１，１階内装を撮像するように指示データが携帯電話10に順次送信されたことを示している。このような撮像指示場所と指示日時とが対応づけられて指示日時記憶装置５に記憶されている。
【００１４】
図１に戻って，上述のように撮像場所指示サーバ１から送信された指示データは携帯電話10において受信され，携帯電話10の表示画面に撮像指示場所が表示される。工事現場などにいる撮像者は携帯電話10の表示画面に表示された撮像指示場所を見て，どこを撮像すればよいかが分かる。撮像者は，表示された撮像指示場所を見てその撮像指示場所を，ディジタル・カメラ11を用いて撮像する。撮像によって得られた画像データは画像ファイルに格納されてメモリ・カード12に記録される。ディジタル・カメラ11にも時計（図示略）が含まれており，画像データの撮像日時を示すデータが，その画像データが格納されている画像ファイルのヘッダに記録される。
【００１５】
撮像場所指示サーバ１から携帯電話10に指示データが送信されるごとに，ディジタル・カメラ11によってその指示データによって指示される撮像場所が撮像されて
画像データがメモリ・カード12に記録される。
【００１６】
指示データによって指示されるすべての撮像場所の撮像が終了すると，ディジタル・カメラ11からメモリ・カード12が取り外されて撮像場所指示サーバ１に装填される。メモリ・カード12に記録されている画像データおよび撮像日時データが入力装置７によって読み取られる。読み取られた撮像日時データは日時比較装置16に入力する。日時比較装置16には，指示日時記憶装置５から指示日時データが読み取られる。日時比較装置16において，指示日時データと撮像日時データとにもとづいて画像データによって表される画像の撮像実行場所が決定される。撮像実行場所と画像ファイル名と撮像日時とが関連付けられて画像ファイルとともに画像データベース８に記録される。
【００１７】
図３は，画像データベース８に格納されている撮像実行場所と画像ファイル名と撮像日時との関係を示している。
【００１８】
2006年11月29日16時50分に撮像された画像の画像ファイル名はDSC001.JPGであり，その画像ファイルに格納されている画像データによって表される画像の撮像実行場所は外観（正面）であることが分かる。同様に，2006年11月29日15時30分に撮像された画像の画像ファイル名はDSC002.JPGであり，その画像ファイルに格納されている画像データによって表される画像の撮像実行場所は配管であることが分かり，2006年11月29日18時35分に撮像された画像の画像ファイル名はDSC003.JPGであり，その画像ファイルに格納されている画像データによって表される画像の撮像実行場所は１階内装であることが分かる。
【００１９】
図４は，撮像場所指示サーバ１から携帯電話10に指示データを送信する手順を示すフローチャートである。
【００２０】
上述したように，撮像指示場所記憶装置２から撮像場所の指示を示すデータが読み取られる（ステップ21）。読み取られた指示データが撮像場所指示サーバ１から携帯電話10に送信される（ステップ22）。送信日時を指示日時として，撮像指示場所とともに指示日時記憶装置５に記憶される（ステップ23）。
【００２１】
撮像場所指示サーバ１から送信された指示データは携帯電話10において受信される（ステップ31）。指示データによって表される撮像指示場所が携帯電話10の表示画面に表示され（ステップ32），その指示場所が撮像される。
【００２２】
このような指示データの送受信，指示データによって表される撮像指示場所の撮像が繰り返される。
【００２３】
図５は，ディジタル・カメラ11と撮像場所指示サーバ１との処理手順を示すフローチャートである。
【００２４】
上述したように，撮像指示場所がディジタル・カメラ11によって撮像される（ステップ41）。撮像日時と画像データとがメモリ・カード42に記録される（ステップ42）。すべての撮像指示場所の撮像が終了するまでステップ41および42の処理が繰り返される。
【００２５】
すべての撮像指示場所の撮像が終了すると，ディジタル・カメラ11からメモリ・カードが取り外されて，上述のように撮像場所指示サーバ１に装填される（ステップ51）。撮像場所指示サーバ１において，メモリ・カード11から撮像日時を表すデータと画像データとが読み取られる（ステップ52）。メモリ・カード11から読み取られた撮像日時データと撮像場所指示サーバ１に記憶されている指示データとから，メモリ・カード11から読み取られた画像データの撮像実行場所が決定される（ステップ53）。上述したように決定された撮像実行場所と画像ファイルと撮像日時とが対応付けられて，メモリ・カード11から読み取られた画像データが画像データベース８に記憶される（ステップ54）。
【００２６】
図６から図９は，画像データの撮像実行場所を決定する方法を示すもので，撮像指示日時と撮像実行日時との関係を示している。
【００２７】
指示日時の直後の撮像日時をもつ画像データが，その指示日時によって特定される撮像指示場所を撮像したものと考えられるが，ディジタル・カメラ11の時計が撮像場所指示サーバ１の時計よりも進んでいる場合がある。このような場合には，指示日時よりも前の撮像実行日時に対応した画像データがその指示日時によって特定された撮像指示場所を撮像していることがある。次に説明するものは，ディジタル・カメラ11の時計が撮像場所指示サーバ１の時計よりも進んでいても画像データの撮像実行場所を決定できるようにするものである。
【００２８】
図６を参照して，時刻（撮像指示時刻）ｔ１,ｔ５，ｔ８にそれぞれ撮像指示が出され（指示データが送信され），時刻（撮像実行時刻）ｔ２，ｔ３，ｔ４，ｔ６，ｔ７にそれぞれ撮像が実行されたものとする。
【００２９】
撮像実行時刻ｔ２，ｔ３，ｔ４，ｔ６，ｔ７のそれぞれが，撮像指示時刻ｔ１,ｔ５，ｔ８にもっとも近いものに仮に対応づけられる。たとえば，撮像実行時刻ｔ２は撮像指示時刻ｔ１に仮に対応づけられ（グループｇ１），撮像実行時刻ｔ３，ｔ４およびｔ６は撮像指示時刻ｔ５に仮に対応づけられ（グループｇ２），撮像実行時刻ｔ７は撮像指示時刻ｔ８に仮に対応づけられる（グループｇ３）。
【００３０】
図７を参照して，仮に対応付けられた撮像実行時刻と撮像指示時刻の中で（各グループの中で）撮像指示時刻前の撮像実行時刻が選択され，撮像指示時刻と撮像実行時刻との時刻差（第１の時刻差）が検出される。撮像指示時刻前の撮像実行時刻は，撮像指示時刻ｔ５前の撮像実行時刻ｔ３およびｔ４ならびに撮像指示時刻ｔ８前の撮像実行時刻ｔ７である。撮像指示時刻ｔ５と撮像実行時刻ｔ３との時刻差，撮像指示時刻ｔ５と撮像実行時刻ｔ４との時刻差および撮像指示時刻ｔ８と撮像実行時刻ｔ７時刻差をそれぞれΔＴ１，ΔＴ２およびΔＴ３とする。
【００３１】
図８を参照して，すべての撮像実行時刻ｔ２，ｔ３，ｔ４，ｔ６，ｔ７に第１の時刻差ΔＴ１が加算される。
【００３２】
図９を参照して，第１の時刻差ΔＴ１が加算された撮像実行時刻ｔ２，ｔ３，ｔ４，ｔ６，ｔ７のそれぞれが，撮像指示時刻ｔ１，ｔ５，ｔ８のうちもっとも近い時刻に対応付けられる。撮像実行時刻ｔ２＋ΔＴ１は撮像指示時刻ｔ１に対応づけられ（グループＧ１），撮像実行時刻ｔ３＋ΔＴ１，ｔ４＋ΔＴ１，ｔ６＋ΔＴ１は撮像指示時刻ｔ５に対応づけられ（グループＧ２），撮像実行時刻ｔ７＋ΔＴ１は撮像指示時刻ｔ８に対応づけられる（グループＧ３）。
【００３３】
このようにして対応付けられた撮像実行時刻と撮像指示時刻との時刻差（第２の時刻差）の合計（Δｔ１＋Δｔ２＋Δｔ３＋Δｔ４）が算出される。
【００３４】
図８に示す時差調整処理および図９に示す時刻差の合計値の算出処理が，図７に示したすべての第１の時刻差ΔＴ１，ΔＴ２，ΔＴ３について行われる。得られた合計値がもっとも小さい場合における第１の時刻差が撮像場所指示サーバ１とディジタル・カメラ11との時差とされる。その時差のときの図９に示す対応関係が撮像指示時刻と撮像実行時刻との関係とされる。その撮像実行時刻に撮像された画像データが撮像指示に応じて撮像されたものとされて，上述のように撮像場所と画像ファイル名と撮像日時とが対応付けられる。
【００３５】
上述の実施例においては，撮像場所指示サーバ１とディジタル・カメラ11との時差を解消するようにして画像データの撮像場所を決定しているが，単に撮像指示直後に撮像された画像データをその撮像指示にしたがって撮像された画像データと決定してもよい。
【００３６】
また，上述の実施例においてはハードウエアにより実現されているがソフトウエアにより実施するようにしてもよい。
【図面の簡単な説明】
【００３７】
【図１】撮像場所指示サーバの電気的構成を示すブロック図である。
【図２】撮像指示場所と指示日時との関係を示している。
【図３】撮像実行場所と画像ファイル名と撮像実行日時との関係を示している。
【図４】携帯電話と撮像場所指示サーバとの処理手順を示すフローチャートである。
【図５】ディジタル・カメラと撮像場所指示サーバとの処理手順を示すフローチャートである。
【図６】撮像指示時刻と撮像実行時刻との関係を示している。
【図７】撮像指示時刻と撮像実行時刻との関係を示している。
【図８】撮像指示時刻と撮像実行時刻との関係を示している。
【図９】撮像指示時刻と撮像実行時刻との関係を示している。
【符号の説明】
【００３８】
１  撮像場所指示サーバ
３  撮像指示送信装置
５  指示日時記憶装置
６  日時比較装置
７  入力装置
８  画像データベース
10  携帯電話（指示データ受信装置）
11  ディジタル・カメラ
【図１】
2008244956.tif 000003
【図２】
2008244956.tif 000004
【図３】
2008244956.tif 000005
【図４】
2008244956.tif 000006
【図５】
2008244956.tif 000007
【図６】
2008244956.tif 000008
【図７】
2008244956.tif 000009
【図８】
2008244956.tif 000010
【図９】
2008244956.tif 000011